(57)【要約】【課題】複数の誘導加熱装置間にリレースイッチのオンタイミングに時間差が生じても、インバータ駆動回路に不具合の生じない誘導加熱調理器を提供する。【解決手段】インバータ１３、２３、全波整流手段１１、３１、フィルタコンデンサ１１、３２、リレースイッチ２０、４０、予備充電回路５１、５２を各々有する第１、第２の主回路３、４を有し、予備充電回路５１、５２は、リレースイッチ２０、４０の商用交流側接点とフィルタコンデンサ１２、３２との間に直列に接続された予備充電ダイオード１８、３８、逆流阻止ダイオード１０、３０及び予備充電抵抗１９、３９を各々備え、電圧検出回路１５、３５は、予備充電ダイオード１８、３８と逆流阻止ダイオード１０、３０の接続点と接地間に各々接続される。【選択図】        図１
2004158386.tif 000002
【特許請求の範囲】
【請求項１】
加熱コイル、インバータ、全波整流手段、この全波整流手段の直流側出力に接続されたフィルタコンデンサ、前記全波整流手段と商用交流電源との間に接続されたリレースイッチ及び前記フィルタコンデンサに充電電流を供給する予備充電回路を有する主回路と、前記インバータを駆動する駆動回路と、前記リレースイッチを駆動するリレースイッチ駆動回路と、前記主回路の電圧を検出する電圧検出回路と、この電圧検出回路により検出された電圧に基づいて、前記インバータ駆動回路と前記リレースイッチ駆動回路を制御する制御回路とを有する誘導加熱装置を複数備えた誘導加熱調理器において、
前記予備充電回路は、前記リレースイッチの前記商用交流側接点と前記フィルタコンデンサとの間に直列に接続された予備充電ダイオード、逆流阻止ダイオード及び予備充電抵抗を備え、
前記電圧検出回路は、前記予備充電回路の予備充電ダイオードと逆流阻止ダイオードの接続点と接地間に接続されたことを特徴とする誘導加熱調理器。
【請求項２】
加熱コイル、インバータ、全波整流手段、この全波整流手段の直流側出力に接続されたフィルタコンデンサ、前記全波整流手段と商用交流電源との間に接続されたリレースイッチ及び前記フィルタコンデンサに充電電流を供給する予備充電回路を有する主回路と、前記インバータを駆動する駆動回路と、前記リレースイッチを駆動するリレースイッチ駆動回路と、前記主回路の電圧を検出する電圧検出回路と、この電圧検出回路により検出された電圧に基づいて、前記インバータ駆動回路と前記リレースイッチ駆動回路を制御する制御回路とを有する誘導加熱装置を複数備えた誘導加熱調理器において、
前記予備充電回路は、前記全波整流手段の直流出力の低電圧側端子と前記リレースイッチの商用交流側接続端子との間に直列に接続された予備充電抵抗及び予備充電ダイオードとを備え、
前記電圧検出回路は、前記全波整流手段の前記リレースイッチが接続されてない側の入力端子と接地間に電圧検出用ダイオードを介して接続されたことを特徴とする誘導加熱調理器。
【発明の詳細な説明】
【０００１】
【発明の属する技術分野】
この発明は、予備充電回路を有する誘導加熱装置を複数備えた誘導加熱調理器に係り、特に、誘導加熱装置間の電位差の発生を防止した誘導加熱調理器に関する。
【０００２】
【従来の技術】
イグニッションキースイッチが導通させられると、バッテリからの電流が予備充電回路を介してコンデンサに流れ込み、このコンデンサが充電される。その後に、フェイルセーフリレー回路が閉成させられる電動パワーステアリング装置であり、フェイルセーフリレー回路の両端電圧がほぼ零になった後にフェイルセーフリレー回路が閉成させられるから、このフェイルセーフリレー回路に大きな突入電流が流れることがないようにしている（例えば特許文献１）。
【０００３】
【特許文献１】
実開平６−２７４３３号公報（段落００２１−００２２、図１）
【０００４】
【発明が解決しようとする課題】
しかしながら、従来の装置は、バッテリからの電流が予備充電回路を介してコンデンサに確実に充電して突入電流を防止をするものであり、これを複数の誘導加熱装置を有する誘導加熱調理器に用いた場合においては、複数の誘導加熱装置が商用交流電源に接続されると、電流が各々の全波整流手段、予備充電回路を介してフィルタコンデンサに流れ、フィルタコンデンサは徐々に充電されるが、フィルタコンデンサの高電圧側端子に検出抵抗からなる電圧検出回路が接続されていると、この電圧検出回路を介してフィルタコンデンサの電荷が放電する。このため、リレースイッチがオンとなってもフィルタコンデンサの充電電圧が充分ではなく、突入電流は一応防止されるが、特にリレースイッチのオンのときに、リレースイッチの個体差等により差が生じると、オンが遅れた側のリレースイッチを有するインバータ駆動回路に逆電圧が印加され、インバータ駆動回路に不具合が生じるという問題があった。
【０００５】
すなわち、複数の誘導加熱装置が加熱コイル、インバータ、全波整流手段、この全波整流手段の直流側出力に接続されたフィルタコンデンサ、全波整流手段と商用交流電源との間に接続されたリレースイッチ及びフィルタコンデンサに充電電流を供給する予備充電回路を各々有する第１、第２の主回路を備えたものであるとき、第１の主回路のリレースイッチのオンが遅れると、第１の主回路の全波整流手段及びフィルタコンデンサ等を介して第２の主回路の全波整流手段、リレースイッチ等を経由して電流が流れ、第１の主回路のフィルタコンデンサの充電電圧が不足しているため、インバータ駆動回路の電源を上回る電圧が第１の主回路の全波整流手段の直流低圧側出力端子、及びこれと接続しているインバータ駆動回路の０Ｖラインに発生する。すなわち、この第１の主回路のインバータ駆動回路には逆電圧が印加され不具合が生じるという問題があった。
【０００６】
この発明は上記のような問題点を解決するためになされたもので、複数の誘導加熱装置間にリレースイッチのオンタイミングに時間差が生じても、インバータ駆動回路に逆電圧が印加されるのを防止して、インバータ駆動回路に不具合の生じない信頼性の高い誘導加熱調理器を提供することを目的とする。
【０００７】
【課題を解決するための手段】
この発明に係る誘導加熱調理器は、加熱コイル、インバータ、全波整流手段、この全波整流手段の直流側出力に接続されたフィルタコンデンサ、前記全波整流手段と商用交流電源との間に接続されたリレースイッチ及び前記フィルタコンデンサに充電電流を供給する予備充電回路を有する主回路と、前記インバータを駆動する駆動回路と、前記リレースイッチを駆動するリレースイッチ駆動回路と、前記主回路の電圧を検出する電圧検出回路と、この電圧検出回路により検出された電圧に基づいて、前記インバータ駆動回路と前記リレースイッチ駆動回路を制御する制御回路とを有する誘導加熱装置を複数備えた誘導加熱調理器において、前記予備充電回路は、前記リレースイッチの前記商用交流側接点と前記フィルタコンデンサとの間に直列に接続された予備充電ダイオード、逆流阻止ダイオード及び予備充電抵抗を備え、前記電圧検出回路は、前記予備充電回路の予備充電ダイオードと逆流阻止ダイオードの接続点と接地間に接続されたものである。
【０００８】
【発明の実施の形態】
実施の形態１．
図１はこの発明の実施の形態１を示す予備充電回路を有する誘導加熱調理器の回路構成図、図２、図３は誘導加熱調理器の電流の流れを示す図である。
図１において誘導加熱調理器は、商用交流電源１、第１の誘導加熱装置５０、第２の誘導加熱装置６０、第１、第２の誘導加熱装置５０、６０の制御回路及びインバータ駆動回路の動作電源２から構成される。
【０００９】
第１の誘導加熱装置５０は、第１の主回路３、０Ｖラインが全波整流手段の直流側出力の低電圧側に接続され、
第１の主回路のインバータ１３を駆動する第１のインバータ駆動回路２１、第１の主回路のリレースイッチ２０を駆動する第１のリレー駆動回路２２、直列接続された複数の検出抵抗１４からなり、第１の主回路の電圧を検出する第１の主回路の電圧検出回路１５、０Ｖラインが接地線に接続され第１の主回路の電圧検出回路１５の電圧測定結果に基づき、第１のインバータ駆動回路２１にインバータ駆動指令を生成出力すると共に、第１のリレースイッチ駆動回路２２にリレー駆動指令を生成出力する第１の制御回路２３、全波整流手段１１の直流側出力の低電圧側と接地線の間に接続された短絡対策抵抗１６と短絡対策ダイオード１７の並列接続回路から構成される。なお、短絡対策ダイオード１７は接地線をアノード側、全波整流手段１１の直流側出力の低電圧側をカソード側として接続される。
【００１０】
第１の主回路３は、加熱コイル５、加熱コイル５に高周波電流を供給するインバータ１３、直流側出力をインバータ１３に接続され、交流側入力を商用交流電源１に接続された全波整流手段１１、全波整流手段１１の交流側入力の一方と商用交流電源１との間に接続されたリレースイッチ２０、全波整流手段１１の直流側出力に接続されたフィルタコンデンサ１２、リレースイッチ２０の商用交流側接点と電圧検出回路１５の検出抵抗１４との間に接続された予備充電ダイオード１８、予備充電ダイオード１８と検出抵抗１４との接続点とフィルタコンデンサ１２との間に直列に接続された逆流阻止ダイオード１０と予備充電抵抗１９から構成される。なお、予備充電ダイオード１８、逆流阻止ダイオード１０及び予備充電抵抗１９は予備充電回路５１を構成する。
【００１１】
第２の誘導加熱装置６０は、第２の主回路４、０Ｖラインが全波整流手段の直流側出力の低電圧側に接続され、第２の主回路のインバータ３３を駆動する第２のインバータ駆動回路４１、第２の主回路のリレースイッチ４０を駆動する第２のリレー駆動回路４２、直列接続された複数の検出抵抗３４からなり、第２の主回路の電圧を検出する第２の主回路の電圧検出回路３５、０Ｖラインが接地線に接続され第２の主回路の電圧検出回路３５の電圧測定結果に基づき、第２のインバータ駆動回路４１にインバータ駆動指令を生成出力すると共に、第２のリレースイッチ駆動回路４２にリレー駆動指令を生成出力する第２の制御回路４３、全波整流手段３１の直流側出力の低電圧側と接地線の間に接続された短絡対策抵抗３６と短絡対策ダイオード３７の並列接続回路から構成される。なお、短絡対策ダイオード３７は接地線をアノード側、全波整流手段３１の直流側出力の低電圧側をカソード側として接続される。
【００１２】
第２の主回路４は、加熱コイル６、加熱コイル６に高周波電流を供給するインバータ３３、直流側出力がインバータ３３に接続され、交流側入力が商用交流電源１に接続された全波整流手段３１、全波整流手段３１の交流側入力の一方と商用交流電源１との間に接続されたリレースイッチ４０、全波整流手段３１の直流側出力に接続されたフィルタコンデンサ３２、リレースイッチ４０の商用交流側接点と電圧検出回路３５の検出抵抗３４との間に接続された予備充電ダイオード３８、予備充電ダイオード３８と検出抵抗３４との接続点とフィルタコンデンサ３２との間に直列に接続された逆流阻止ダイオード３０と予備充電抵抗３９から構成される。なお、予備充電ダイオード３８、逆流阻止ダイオード３０及び予備充電抵抗３９は予備充電回路５２を構成する。
【００１３】
次に動作について図１〜３により説明する。
誘導加熱調理器が商用交流電源１に接続されると、図２に示すように第１の誘導加熱装置５０では、電流が全波整流手段１１、フィルタコンデンサ１２、予備充電ダイオード１８、予備充電抵抗１９を介して流れ、この間フィルタコンデンサ１２は徐々に充電される。この時、フィルタコンデンサ１２は、逆流阻止ダイオード１０が接続されているため、電圧検出回路１５からの電荷の放電が防止され、充分に充電される。
【００１４】
また、第２の誘導加熱装置６０では、電流が全波整流手段３１、フィルタコンデンサ３２、予備充電ダイオード３８、予備充電抵抗３９を介して流れ、この間フィルタコンデンサ３２は徐々に充電される。この時、フィルタコンデンサ３２は、逆流阻止ダイオード３０が接続されているため、電圧検出回路３５からの電荷の放電が防止され、充分に充電される。
【００１５】
そして、所定の時間を経過した後、第１の誘導加熱装置５０では、制御回路２３がリレースイッチ駆動回路２２にリレースイッチ２０をオンする指令を出力し、第２の誘導加熱装置６０では、制御回路４３がリレースイッチ駆動回路４２にリレースイッチ４０をオンする指令を出力し、これに基づきリレースイッチ駆動回路２２、４２が、各々リレースイッチ２０、４０を同時にオンする。
【００１６】
次に、リレースイッチ２０、４０が同時にオンとなるが、実際にはリレースイッチの個体差により、オンするタイミングに時間差が生じる。ここで、例えば、第１の主回路のリレースイッチ２０のオンするタイミングが第２の主回路リレースイッチ４０のオンより遅れたとする。すると、図３に示すように、電流は商用交流電源１より、第１の主回路の全波整流手段１１、第１の主回路フィルタコンデンサ１２、第１の主回路の短絡対策抵抗１６、第２の主回路の短絡対策ダイオード３７、第２の主回路の全波整流手段３１、第２の主回路リレースイッチ４０を流れる。
【００１７】
このため、第１の主回路の全波整流手段１１の直流高圧側出力端子から、第１の主回路のフィルタコンデンサ１２の充電電圧を減じた電圧が、第１の主回路の全波整流手段１１の直流低圧側出力端子、及びこれに接続されている第１の主回路３のインバータ駆動回路２１の０Ｖ部に印加されるが、第１の主回路３のフィルタコンデンサ１２が充分に充電されているので、第１の主回路３の全波整流手段１１の直流低圧側出力端子、及び、これに接続されている第１の主回路のインバータ駆動回路２１の０Ｖ部に印加される電圧は、制御回路２３及び、インバータ駆動回路２１の電源２より充分に低くなる。
【００１８】
なお、ここでは第１の主回路３のリレースイッチ２０のオンするタイミングが第２の主回路４のリレースイッチ４０のオンより遅れた場合を説明したが、第２の主回路４のリレースイッチ４０のオンするタイミングが第１の主回路３のリレースイッチ２０のオンより遅れた場合は、第２の主回路４の全波整流手段３１の直流部高圧側出力端子電圧から、第２の主回路のフィルタコンデンサ３２の充電電圧を減じた電圧が、第２の主回路の全波整流手段３１の直流部低圧側出力端子、及びこれに接続されている第２の主回路のインバータ駆動回路４１の０Ｖ部に印加されるが、その電圧は制御回路及びインバータ駆動回路の電源２より充分に低くなる。
【００１９】
以上のように、本発明の実施の形態１では、第１の誘導加熱装置５０のリレースイッチ２０の商用交流電源１側接点と電圧検出回路１５の電圧検出抵抗１４との間に予備充電ダイオード１８を接続し、予備充電ダイオード１８と電圧検出抵抗１４との接続点と、フィルタコンデンサ１２との間に、逆流阻止ダイオード１０と予備充電抵抗１９を直列に接続し、また、第２の誘導加熱装置６０のリレースイッチ４０の商用交流電源１側接点と電圧検出回路３５の電圧検出抵抗３４との間に予備充電ダイオード３８を接続し、予備充電ダイオード３８と電圧検出抵抗３４との接続点と、フィルタコンデンサ３２との間に、逆流阻止ダイオード３０と予備充電抵抗３９を直列に接続し、第１、第２の誘導加熱装置５０、６０の各々のフィルタコンデンサ１２、３２の放電を防止し充分に充電されるようにしたので、リレースイッチ２０、４０のオンのタイミングに時間差が生じて、インバータ駆動回路２１、４１の０Ｖ部分に、インバータ直流部高圧側電圧からフィルタコンデンサ１２、３２の充電電圧を減じた電圧が印加されることがあっても、その電圧は制御回路２３、４３及びインバータ駆動回路２１、４１の電源２より充分に低く、インバータ駆動回路２１や４１に逆電圧による不具合が生じるのを防止することができる。
【００２０】
実施形態２．
図４はこの発明の実施の形態１を示す予備充電回路を有する誘導加熱調理器の回路構成図、図５、図６は誘導加熱調理器の電流の流れを示す図である。
図４において実施の形態１の図１と同じ部分には同一の符号を付し説明を省略する。第１の誘導加熱装置５０の第１の主回路３は電圧検出回路用ダイオード２４、予備充電回路５３を備え、予備充電回路５３は、全波整流手段１１の直流出力の低電圧側端子とリレースイッチ２０の商用交流側接続端子との間に直列に接続された予備充電抵抗１９及び予備充電ダイオード１８とを備え、電圧検出回路１５は、全波整流手段１１のリレースイッチ２０が接続されてない側の入力端子と接地間に電圧検出用ダイオード２４を介して接続される。
【００２１】
第２の誘導加熱装置６０の第２の主回路３は電圧検出回路用ダイオード４４、予備充電回路５４を備え、予備充電回路５４は、全波整流手段３１の直流出力の低電圧側端子とリレースイッチ４０の商用交流側接続端子との間に直列に接続された予備充電抵抗３９及び予備充電ダイオード３８とを備え、電圧検出回路２５は、全波整流手段３１のリレースイッチ４０が接続されてない側の入力端子と接地間に電圧検出用ダイオード４４を介して接続される。
【００２２】
次に動作について図４〜６により説明する。
誘導加熱調理器が商用交流電源１に接続されると、図５に示すように第１の誘導加熱装置５０では、電流が全波整流手段１１、フィルタコンデンサ１２、予備充電ダイオード１８、予備充電抵抗１９を介して流れ、この間フィルタコンデンサ１２は徐々に充電される。この時、フィルタコンデンサ１２に電圧検出回路１５等が接続されていないため、電荷の放電が防止され、充分に充電される。
【００２３】
また、第２の誘導加熱装置６０では、電流が全波整流手段３１、フィルタコンデンサ３２、予備充電ダイオード３８、予備充電抵抗３９を介して流れ、この間フィルタコンデンサ３２は徐々に充電される。この時、フィルタコンデンサ３２に電圧検出回路３５等が接続されていないため、電荷の放電が防止され、充分に充電される。
【００２４】
そして、所定の時間を経過した後、第１の誘導加熱装置５０では、制御回路２３がリレースイッチ駆動回路２２にリレースイッチ２０をオンする指令を出力し、第２の誘導加熱装置６０では、制御回路４３がリレースイッチ駆動回路４２にリレースイッチ４０をオンする指令を出力し、これに基づきリレースイッチ駆動回路２２、４２が、各々リレースイッチ２０、４０を同時にオンする。
【００２５】
次に、リレースイッチ２０、４０が同時にオンとなるが、実際にはリレースイッチの個体差により、オンするタイミングに時間差が生じる。ここで、例えば、第１の主回路のリレースイッチ２０のオンするタイミングが第２の主回路リレースイッチ４０のオンより遅れたとする。すると、図６に示すように、電流は商用交流電源１より、第１の主回路の全波整流手段１１、第１の主回路フィルタコンデンサ１２、第１の主回路の短絡対策抵抗１６、第２の主回路の短絡対策ダイオード３７、第２の主回路の全波整流手段３１、第２の主回路リレースイッチ４０を流れる。
【００２６】
このため、第１の主回路の全波整流手段１１の直流高圧側出力端子から、第１の主回路のフィルタコンデンサ１２の充電電圧を減じた電圧が、第１の主回路の全波整流手段１１の直流低圧側出力端子、及びこれに接続されている第１の主回路３のインバータ駆動回路２１の０Ｖ部に印加されるが、第１の主回路３のフィルタコンデンサ１２が充分に充電されているので、第１の主回路３の全波整流手段１１の直流低圧側出力端子、及び、これに接続されている第１の主回路のインバータ駆動回路２１の０Ｖ部に印加される電圧は、制御回路２３及び、インバータ駆動回路２１の電源２より充分に低くなる。
【００２７】
なお、ここでは第１の主回路３のリレースイッチ２０のオンするタイミングが第２の主回路４のリレースイッチ４０のオンより遅れた場合を説明したが、第２の主回路４のリレースイッチ４０のオンするタイミングが第１の主回路３のリレースイッチ２０のオンより遅れた場合は、第２の主回路４の全波整流手段３１の直流部高圧側出力端子電圧から、第２の主回路のフィルタコンデンサ３２の充電電圧を減じた電圧が、第２の主回路の全波整流手段３１の直流部低圧側出力端子、及びこれに接続されている第２の主回路のインバータ駆動回路４１の０Ｖ部に印加されるが、その電圧は制御回路及びインバータ駆動回路の電源２より充分に低くなる。
【００２８】
以上のように、本発明の実施の形態２では、第１の誘導加熱装置５０の全波整流手段１１のリレースイッチ２０が接続されない商用交流側入力端子と、電圧検出回路１５の電圧検出抵抗１４との間に電圧検出用ダイオード２４を接続し、全波整流手段１１の直流低圧側出力端子と、リレースイッチ２０の商用交流電源１側接点との間に予備充電ダイオード１８と予備充電抵抗１９を直列に接続し、また、第２の誘導加熱装置６０の全波整流手段３１のリレースイッチ４０が接続されない商用交流側入力端子と、電圧検出回路３５の電圧検出抵抗３４との間に電圧検出用ダイオード４４を接続し、全波整流手段３１の直流低圧側出力端子と、リレースイッチ４０の商用交流電源１側接点との間に予備充電ダイオード３８と予備充電抵抗９を直列に接続し、第１、第２の誘導加熱装置５０、６０の各々のフィルタコンデンサ１２、３２の放電を防止し充分に充電されるようにしたので、リレースイッチ２０、４０のオンのタイミングに時間差が生じて、インバータ駆動回路２１、４１の０Ｖ部分に、全波整流手段１１、３１の直流高圧側出力端子電圧からフィルタコンデンサ１２、３２の充電電圧を減じた電圧が印加されることがあっても、その電圧は制御回路２３、４３及びインバータ駆動回路２１、４１の電源２より充分に低く、インバータ駆動回路２１、４１に逆電圧による不具合が生じるのを防止することができる。
【００２９】
なお、以上の実施の形態１、２では誘導加熱調理器について示したが、電磁誘導加熱装置を複数備えた電磁誘導加熱調理器にも適用して、同様な効果を得ることができる。
【００３０】
【発明の効果】
以上のように、この発明によれば、加熱コイル、インバータ、全波整流手段、この全波整流手段の直流側出力に接続されたフィルタコンデンサ、前記全波整流手段と商用交流電源との間に接続されたリレースイッチ及び前記フィルタコンデンサに充電電流を供給する予備充電回路を有する主回路と、前記インバータを駆動する駆動回路と、前記リレースイッチを駆動するリレースイッチ駆動回路と、前記主回路の電圧を検出する電圧検出回路と、この電圧検出回路により検出された電圧に基づいて、前記インバータ駆動回路と前記リレースイッチ駆動回路を制御する制御回路とを有する誘導加熱装置を複数備えた誘導加熱調理器において、前記予備充電回路は、前記リレースイッチの前記商用交流側接点と前記フィルタコンデンサとの間に直列に接続された予備充電ダイオード、逆流阻止ダイオード及び予備充電抵抗を備え、前記電圧検出回路は、前記予備充電回路の予備充電ダイオードと逆流阻止ダイオードの接続点と接地間に接続されたので、フィルタコンデンサの放電を防止し、充分な充電を行えるので、複数の誘導加熱装置のリレースイッチのオンタイミングに時間差が生じても、インバータ駆動回路に逆電圧が印加されるのを防止して、インバータ駆動回路に不具合が生じないようにでき信頼性を向上させることができる。
【図面の簡単な説明】
【図１】この発明の実施の形態１を示す誘導加熱調理器の回路構成図である。
【図２】この発明の実施の形態１を示す誘導加熱調理器の電流の流れを示す図である。
【図３】この発明の実施の形態１を示す誘導加熱調理器の電流の流れを示す図である。
【図４】この発明の実施の形態２を示す誘導加熱調理器の回路構成図である。
【図５】この発明の実施の形態２を示す誘導加熱調理器の電流の流れを示す図である。
【図６】この発明の実施の形態２を示す誘導加熱調理器の電流の流れを示す図である。
【符号の説明】
１  商用交流電源、３  第１の主回路、４  第２の主回路、５、６  加熱コイル、１０、３０  逆流阻止ダイオード、１１、３１  全波整流手段、１２、３２フィルタコンデンサ、１３、３３  インバータ、１４、３４  検出抵抗、１５、３５  電圧検出回路、１６、３６  短絡対策抵抗、１７、３７  短絡対策ダイオード、１８、３８  予備充電ダイオード、１９、３９  予備充電抵抗、２０、４０  リレースイッチ、２１  第１のインバータ駆動回路、２２  第１のリレー駆動回路、２３  第１の制御回路、２４、４４  電圧検出回路用ダイオード、４１  第２のインバータ駆動回路、４２  第２のリレー駆動回路、４３  第２の制御回路、５０  第１の誘導加熱装置、５１、５２、５３、５４  予備充電回路、６０  第２の誘導加熱装置。
【図１】
2004158386.tif 000003
【図２】
2004158386.tif 000004
【図３】
2004158386.tif 000005
【図４】
2004158386.tif 000006
【図５】
2004158386.tif 000007
【図６】
2004158386.tif 000008